(57)【要約】 【課題】励起光源から照射された光の色味を適正なものに調整可能とすることで、色再現性を向上させる。【解決手段】光源装置は、励起光を出射する励起光源と、励起光源から出射された励起光を蛍光光に変換する蛍光体部１０１ａと、励起光を拡散する第一拡散部１０１ｂと、一部の領域に励起光を蛍光光に変換する蛍光体層１０１ｄが配置され、他の領域では励起光を拡散する第二拡散部１０１ｃと、が周方向に並設された回転制御可能な回転板１０１と、を備える。【選択図】図３
2016062045.tif 000002
【特許請求の範囲】
【請求項１】
励起光を出射する励起光源と、
前記励起光源から出射された前記励起光を蛍光光に変換する蛍光体部と、前記励起光を拡散する第一拡散部と、一部の領域に前記励起光を蛍光光に変換する蛍光体層が配置され、他の領域では前記励起光を拡散する第二拡散部と、が周方向に並設された回転制御可能な回転板と、
を備えることを特徴とする光源装置。
【請求項２】
請求項１記載の光源装置において、
前記励起光源は、前記励起光として青色波長帯域光を出射し、
前記蛍光体部及び前記蛍光体層は、前記励起光源から出射された前記励起光を当該励起光よりも長波長帯域の蛍光光に変換し、
前記第一拡散部及び前記第二拡散部は、前記励起光を拡散しながら透過し、
前記回転板は、前記励起光源からの前記励起光の光路上に、前記蛍光体部、前記第一拡散部及び前記第二拡散部の少なくとも何れかが位置するように配置されていることを特徴とする光源装置。
【請求項３】
請求項１又は２記載の光源装置において、
前記励起光が前記回転板を透過する際、前記励起光が照射される前記第一拡散部と前記第二拡散部との比率を前記励起光の波長に応じて制御する制御部を更に備えることを特徴とする光源装置。
【請求項４】
請求項１〜３のいずれか一項に記載の光源装置において、
前記第一拡散部と前記第二拡散部との拡散角度は略同一であることを特徴とする光源装置。
【請求項５】
請求項１〜４のいずれか一項に記載の光源装置において、
前記蛍光体層は、前記第二拡散部の領域内でライン状又はマトリクス状に配置されていることを特徴とする光源装置。
【請求項６】
請求項１〜５のいずれか一項に記載の光源装置と、
表示素子と、
前記光源装置を透過した光を前記表示素子に導光する光源側光学系と、
前記表示素子から出射された画像をスクリーンに投影する投影側光学系と、
を備えることを特徴とする投影装置。
【発明の詳細な説明】
【技術分野】
【０００１】
本発明は、光源装置及び投影装置に関する。
【背景技術】
【０００２】
投影装置としては、青色の励起光を発する励起光照射装置と、蛍光体層（蛍光発光領域）を有し、励起光照射装置から蛍光体層に向けて青色光が照射されることにより、緑色光に変換する蛍光板と、赤色光を発する赤色光源装置と、緑色光、赤色光、青色光を反射させることによりスクリーンに画像を投影する例えばＤＭＤなどの表示素子とを含んだ光源装置を有する投影装置が知られている（例えば特許文献１参照）。
そして、励起光照射装置には、例えば複数の青色レーザーダイオードからなる励起光源が備えられており、この励起光源から青色の励起光が照射されるようになっている。
【先行技術文献】
【特許文献】
【０００３】
【特許文献１】特開２０１１−７０１２７号公報
【発明の概要】
【発明が解決しようとする課題】
【０００４】
ところで、青色レーザーダイオードから照射される青色の励起光の波長のピーク値は４４５ｎｍと紫外線寄りであるため、本来の青色とは若干色味が異なる。また、青色レーザーダイオード毎に波長の個体差があり、これにより複数の青色レーザーダイオードからなる励起光源では全体として若干の波長のずれが生じている。
また、励起光源の電流値については、青色光として使用する励起光を照射する場合、当該励起光が蛍光板を透過するだけなので、緑色光として蛍光板で変換される青色光を照射する場合と比しても、電流値を低くすることができる。しかしながら、前述したように複数の青色レーザーダイオード毎に個体差があることで、電流値を低くしたとしても青色光の明るさが明るすぎてしまうおそれもある。
そして、励起光源からの青色光が短波長寄りとなってしまって、なおかつ青色光が明るすぎてしまうと、赤色光、青色光及び緑色光にて白色を生成する場合に、白色の色味が青色光に引っ張られて、青色寄りの白色となってしまう。
そこで本発明の課題は、励起光源から照射された光の色味を適正なものに調整可能とすることで、色再現性を向上させることである。
【課題を解決するための手段】
【０００５】
以上の課題を解決するため、本発明の一の態様によれば、
励起光を出射する励起光源と、
前記励起光源から出射された前記励起光を蛍光光に変換する蛍光体部と、前記励起光を拡散する第一拡散部と、一部の領域に前記励起光を蛍光光に変換する蛍光体層が配置され、他の領域では前記励起光を拡散する第二拡散部と、が周方向に並設された回転制御可能な回転板と、
を備えることを特徴とする光源装置が提供される。
【発明の効果】
【０００６】
本発明によれば、励起光源から照射された光の色味を適正なものに調整することができ、色再現性を向上させることが可能となる。
【図面の簡単な説明】
【０００７】
【図１】本実施形態に係る投影装置の主制御構成を示すブロック図である。
【図２】本実施形態に係る投影装置の内部構造を示す平面模式図である。
【図３】本実施形態に係る回転板の概略構成を示す正面図である。
【図４】図３の回転板の変形例を示す正面図である。
【発明を実施するための形態】
【０００８】
以下に、本発明を実施するための形態について、図面を用いて説明する。但し、以下に述べる実施形態には、本発明を実施するために技術的に好ましい種々の限定が付されているが、本発明の範囲を以下の実施形態及び図示例に限定するものではない。
【０００９】
まず、本実施形態に係る投影装置１０の制御手段について図１のブロック図を用いて述べる。制御手段は、投影制御部３８、入出力インターフェイス２２、画像変換部２３、表示エンコーダ２４、表示駆動部２６等から構成され、入出力コネクタ部２１から入力された各種規格の画像信号は、入出力インターフェイス２２、システムバス（ＳＢ）を介して画像変換部２３で表示に適した所定のフォーマットの画像信号に統一するように変換された後、表示エンコーダ２４に出力される。入力された画像信号の周波数は、そのまま表示時に用いられる場合もあれば、ティアリングの防止のため適切に変換される場合もある。画像信号の表示時の周波数を表示周波数とする。
【００１０】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００１１】
表示駆動部２６は、表示素子制御手段として機能するものである。具体的に、表示駆動部２６は、投影制御部３８の制御に基づき、表示エンコーダ２４から出力された画像信号に対応して適宜フレームレートで空間的光変調素子（ＳＯＭ）である表示素子５１を駆動する。表示駆動部２６は、光源装置６０から出射された光線束を、導光光学系を介して表示素子５１に照射することにより、表示素子５１の反射光で光像を形成し、後述する投影側光学系を介して図示しないスクリーンに画像を投影表示する。なお、この投影側光学系の可動レンズ群２３５は、レンズモータ４５によりズーム調整やフォーカス調整のための駆動が行われる。
【００１２】
また、画像圧縮伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。さらに、画像圧縮伸長部３１は、再生モード時にメモリカード３２に記録された画像データを読み出し、一連の動画を構成する個々の画像データを１フレーム単位で伸長し、この画像データを、画像変換部２３を介して表示エンコーダ２４に出力し、メモリカード３２に記憶された画像データに基づいて動画等の表示を可能とする処理を行なう。
【００１３】
投影制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００１４】
キー／インジケータ部３７は、投影装置１０の例えば上面パネルに設けられるメインキー及びインジケータ等により構成されている。このキー／インジケータ部３７の操作信号は、直接に投影制御部３８に送出され、リモートコントローラからのキー操作信号は、Ｉｒ受信部３５で受信され、Ｉｒ処理部３６で復調されたコード信号が投影制御部３８に出力される。
【００１５】
なお、投影制御部３８にはシステムバス（ＳＢ）を介して音声処理部４７が接続されている。この音声処理部４７は、ＰＣＭ音源等の音源回路を備えており、投影モード及び再生モード時には音声データをアナログ化し、スピーカ４８を駆動して拡声放音させる。
【００１６】
また、投影制御部３８は、本発明に係る制御部としての制御部４１を制御しており、この制御部４１は、画像生成時に要求される所定波長帯域の光が光源装置６０から出射されるように、光源装置６０の励起光照射装置７０（図２参照）及び赤色光源装置１２０（図２参照）の発光を個別に制御する。制御部４１は、システムバス（ＳＢ）を介してモータドライバ１１０Ａを制御し、ホイールモータ１１０を同期するように回転させる。
【００１７】
さらに、投影制御部３８は、冷却ファン駆動制御部４３に光源装置６０等に設けた複数の温度センサによる温度検出を行わせ、この温度検出の結果から冷却ファンの回転速度を制御させている。また、投影制御部３８は、冷却ファン駆動制御部４３にタイマー等によりプロジェクタ本体の電源ＯＦＦ後も冷却ファンの回転を持続させる、あるいは、温度センサによる温度検出の結果によってはプロジェクタ本体の電源をＯＦＦにする等の制御も行う。
【００１８】
次に、この投影装置１０の内部構造について述べる。図２は、投影装置１０の内部構造を示す平面模式図である。投影装置１０は、図２に示すように、右側パネル１４の近傍に制御部基板２４１を備えている。この制御部基板２４１は、電源回路ブロックや光源制御ブロック等を備えてなる。また、投影装置１０は、制御部基板２４１の側方、つまり、プロジェクタ筐体の略中央部分に光源装置６０を備えている。さらに、投影装置１０は、光源装置６０と左側パネル１５との間に光学系ユニット１６０を備えている。
【００１９】
光源装置６０は、プロジェクタ筐体の左右方向における略中央部分であって背面パネル１３近傍に配置される励起光照射装置７０と、この励起光照射装置７０から出射される光線束の光軸上であって正面パネル１２の近傍に配置される蛍光発光装置１００と、励起光照射装置７０と蛍光発光装置１００との間に配置される赤色光源装置１２０と、蛍光発光装置１００からの出射光や赤色光源装置１２０からの出射光が夫々同一の光軸となるように変換して各色光を所定の一面であるライトトンネル１７５の入射口に集光する光源側光学系１４０と、を備える。
【００２０】
励起光照射装置７０は、背面パネル１３と光軸が平行になるよう配置され、励起光を出射する励起光源７１と、励起光源７１からの出射光の光軸を正面パネル１２方向に９０度変換する反射ミラー群７５と、反射ミラー群７５で反射した励起光源７１からの出射光を集光する集光レンズ７８と、励起光源７１と右側パネル１４との間に配置されたヒートシンク８１と、を備える。
【００２１】
励起光源７１は、複数の青色レーザーダイオードがマトリクス状に配列されてなり、各青色レーザーダイオードの光軸上には、各青色レーザーダイオードから出射された励起光を平行光に変換するコリメータレンズ７３が夫々配置されている。また、反射ミラー群７５は、複数の反射ミラーが階段状に配列されてなり、励起光源７１から出射される光線束の断面積を一方向に縮小して集光レンズ７８に出射する。
【００２２】
ヒートシンク８１と背面パネル１３との間には冷却ファン２６１が配置されており、この冷却ファン２６１とヒートシンク８１とによって励起光源７１が冷却される。さらに、反射ミラー群７５と背面パネル１３との間にも冷却ファン２６１が配置されており、この冷却ファン２６１によって反射ミラー群７５や集光レンズ７８が冷却される。
【００２３】
蛍光発光装置１００は、正面パネル１２と平行となるように、つまり、励起光照射装置７０からの出射光の光軸と直交するように配置された回転板１０１と、この回転板１０１を周方向に回転させるホイールモータ（駆動部）１１０と、回転板１０１から背面パネル１３方向に出射される蛍光光の光線束を集光する集光部１１１と、回転板１０１を透過した励起光を集光する集光レンズ１１５と、を備える。
制御部４１は、ホイールモータ１１０の駆動（制御）回路であるモータドライバ１１０Ａから出力された例えばＴＡＣＨ信号などの回転数パルスに基づいて、ホイールモータ１１０の回転周波数、つまり回転板１０１の回転周波数を取得するようになっている。
【００２４】
回転板１０１は、図３に示すように、円板状の透光性基材から形成されていて、ホイールモータ１１０を介して制御部４１によって回転制御可能となっている。回転板１０１は、蛍光体部１０１ａ、第一拡散部１０１ｂ及び第二拡散部１０１ｃを備え、これらが周方向に並設されている。回転板１０１が回転することで、蛍光体部１０１ａ、第一拡散部１０１ｂ及び第二拡散部１０１ｃが励起光源７１からの励起光の光路上に順次配置されることになる。
【００２５】
具体的には、蛍光体部１０１ａは、透光性基材上に反射層が積層され、反射層上に蛍光体層が積層されている。蛍光体層は緑色蛍光体層である。
回転板１０１の蛍光体部１０１ａに照射された励起光照射装置７０からの出射光は、蛍光体層における緑色蛍光体を励起する。緑色蛍光体から全方位に蛍光発光された光線束は、直接励起光源７１側へ、あるいは、回転板１０１の反射層で反射した後に励起光源７１側へ出射される。これにより、励起光照射装置７０から出射された励起光が、当該励起光よりも長波長帯域の蛍光光に変換される。
【００２６】
第一拡散部１０１ｂは、透光性基材上に拡散層が積層されており、この拡散層を励起光が通過することで当該励起光が拡散される。拡散された励起光は、第一拡散部１０１ｂを透過するため、青色波長帯域光（青色光）のままである。
【００２７】
第二拡散部１０１ｃ上には、多数のマトリクス状の蛍光体層１０１ｄが積層されている。励起光を蛍光光に変換する蛍光体層１０１ｄは、第二拡散部１０１ｃの一部の領域に配置されている。このように、第二拡散部１０１ｃの一部の領域の一方の面側に蛍光体層１０１ｄが積層されていてもよい。他方、励起光源７１からの励起光は蛍光体層１０１ｄによって拡散されるので蛍光体層１０１ｄは回転板１０１を平面視して第二拡散部１０１ｃが設けられていない領域に形成されていてもよい。
蛍光体層１０１ｄは、蛍光体層１０１ｄは緑色蛍光体層である。なお、蛍光体層１０１ｄは緑色蛍光体層に限らず、励起光源７１からの励起光を、当該励起光の波長よりも長波長の蛍光光に変換する蛍光体層であればよい。
第一拡散部１０１ｂをなす拡散層と、第二拡散部１０１ｃをなす拡散層とは略同じ拡散角度となっている。このため、第一拡散部１０１ｂを通過する励起光と、第二拡散部１０１ｃを通過する励起光は同じように拡散される。
なお、第二拡散部１０１ｃの面積に対する、マトリクス状の蛍光体層１０１ｄの総面積の比率を調整することで、第二拡散部１０１ｃを通過した励起光の色味を調整することができる。
【００２８】
そして、励起光が照射される第一拡散部１０１ｂと第二拡散部１０１ｃとの比率を調整することで、第一拡散部１０１ｂと第二拡散部１０１ｃとを通過した励起光の色味を調整できるようになっている。励起光の照射タイミングとして、第一拡散部１０１ｂと第二拡散部１０１ｃを跨がった照射タイミングとすることで、第一拡散部１０１ｂに対して第二拡散部１０１ｃの比率を多くすればするほど、励起光源７１から照射された励起光の色味が緑色波長帯域側に寄った青色光となる。
【００２９】
そして、図２に示したように、ホイールモータ１１０と正面パネル１２との間には冷却ファン２６１が配置されており、この冷却ファン２６１によって回転板１０１が冷却される。
【００３０】
赤色光源装置１２０は、励起光源７１と光軸が平行となるように配置された赤色光源１２１と、赤色光源１２１からの赤色光を集光する集光レンズ群１２５と、を備える。そして、この赤色光源装置１２０は、励起光照射装置７０からの励起光及び回転板１０１から出射される緑色波長帯域光（緑色光）と光軸が交差するように配置されている。また、赤色光源１２１は、赤色の波長帯域光を発する半導体発光素子としての赤色発光ダイオードである。さらに、赤色光源装置１２０は、赤色光源１２１の右側パネル１４側に配置されるヒートシンク１３０を備える。そして、ヒートシンク１３０と正面パネル１２との間には冷却ファン２６１が配置されており、この冷却ファン２６１によって赤色光源１２１が冷却される。
【００３１】
そして、光源側光学系１４０は、赤色、緑色、青色波長帯域の光線束を集光させる集光レンズや、各色波長帯域の光線束の光軸を変換して同一の光軸とさせるダイクロイックミラー等からなる。具体的には、励起光照射装置７０から出射される青色光及び回転板１０１から出射される緑色光の光軸と、赤色光源装置１２０から出射される赤色波長帯域光（赤色光）の光軸と、が交差する位置に、青色及び赤色光を透過し、緑色光を反射してこの緑色光の光軸を左側パネル１５方向に９０度変換する第一ダイクロイックミラー１４１が配置されている。
また、集光レンズ１１５の正面側には、回転板１０１及び集光レンズ１１５を透過した青色光を反射して左側パネル１５方向に９０度変換する第一反射ミラー１４３が配置されている。また、第一反射ミラー１４３の左側には、第一反射ミラー１４３によって反射された青色光を背面パネル１３方向に９０度変換する第二反射ミラー１４５が配置されている。
【００３２】
また、第二反射ミラー１４５で反射された青色光の光軸と、赤色光源装置１２０から出射される赤色光の光軸と、が交差する位置に、青色光を透過し、緑色及び赤色光を反射してこの緑色及び赤色光の光軸を背面パネル１３方向に９０度変換する第二ダイクロイックミラー１４８が配置されている。そして、第一ダイクロイックミラー１４１と第二ダイクロイックミラー１４８との間には、集光レンズが配置されている。
【００３３】
光学系ユニット１６０は、励起光照射装置７０の左側方に位置する照明側ブロック１６１と、背面パネル１３と左側パネル１５とが交差する位置の近傍に位置する画像生成ブロック１６５と、光源側光学系１４０と左側パネル１５との間に位置する投影側ブロック１６８と、の３つのブロックによって略コの字状に構成されている。
【００３４】
この照明側ブロック１６１は、光源装置６０から出射された光源光を画像生成ブロック１６５が備える表示素子５１に導光する導光光学系１７０の一部を備えている。この照明側ブロック１６１が有する導光光学系１７０としては、光源装置６０から出射された光線束を均一な強度分布の光束とするライトトンネル１７５や、このライトトンネル１７５の入射面に光源光を集光する集光レンズ１７３、ライトトンネル１７５から出射された光を集光する集光レンズ１７８、ライトトンネル１７５から出射された光線束の光軸を画像生成ブロック１６５方向に変換する光軸変換ミラー１８１等がある。
【００３５】
画像生成ブロック１６５は、導光光学系１７０として、光軸変換ミラー１８１で反射した光源光を表示素子５１に集光させる集光レンズ１８３と、この集光レンズ１８３を透過した光線束を表示素子５１に所定の角度で照射する照射ミラー１８５と、を有している。さらに、画像生成ブロック１６５は、表示素子５１とするＤＭＤを備え、この表示素子５１と背面パネル１３との間には表示素子５１を冷却するためのヒートシンク１９０が配置されて、このヒートシンク１９０によって表示素子５１が冷却される。また、表示素子５１の正面近傍には、投影側光学系２２０としての集光レンズ１９５が配置されている。
【００３６】
投影側ブロック１６８は、表示素子５１で反射されたオン光をスクリーンに放出する投影側光学系２２０のレンズ群を有している。この投影側光学系２２０としては、固定鏡筒に内蔵する固定レンズ群２２５と可動鏡筒に内蔵する可動レンズ群２３５とを備えてズーム機能を備えた可変焦点型レンズとされ、レンズモータにより可動レンズ群２３５を移動させることによりズーム調整やフォーカス調整を可能としている。
【００３７】
次に、本実施形態の作用について説明する。
図２に示すように、赤色光源装置１２０の赤色光源から照射された赤色光ＲＬは、第一ダイクロイックミラー１４１を通過してから第二ダイクロイックミラー１４８で反射され、後段の光学系を通過して表示素子５１に到達する。
【００３８】
また、励起光源７１から照射され第一ダイクロイックミラー１４１を通過した青色光ＢＬは、緑色光ＧＬの出力時であると回転板１０１の蛍光体部１０１ａに照射される。蛍光体部１０１ａでは、蛍光体によって青色光ＢＬが緑色光に変換され、当該緑色光ＧＬが第一ダイクロイックミラー１４１に向けて進行する。緑色光ＧＬは、第一ダイクロイックミラー１４１、第二ダイクロイックミラー１４８で反射されて、後段の光学系を通過して表示素子５１に到達する。
【００３９】
また、励起光源７１から照射され第一ダイクロイックミラー１４１を通過した青色光ＢＬは、青色光ＢＬの出力時であると回転板１０１の第一拡散部１０１ｂ及び第二拡散部１０１ｃに照射される。回転板１０１の第二拡散部１０１ｃを通過した青色光ＢＬには緑色が混ざることになる。この緑色の混入量は、マトリクス状の蛍光体層１０１ｄの面積及び／又は個数を調整することで調整可能である。
また、この緑色の混入量は、青色光ＢＬが照射される照射タイミング内の第一拡散部１０１ｂ及び第二拡散部１０１ｃの比率を調整することでも調整可能である。
例えば、励起光照射装置７０から出射された直後の励起光の明るさが閾値よりも明るい場合、制御部４１は、青色光ＢＬが照射される第一拡散部１０１ｂ及び第二拡散部１０１ｃの比率を調整することで、青色光ＢＬを緑色波長帯域側に寄せる。また、励起光照射装置７０から出射された直後の励起光が青色波長帯域の短波長側に寄っている場合にも、制御部４１は、青色光ＢＬが照射される第一拡散部１０１ｂ及び第二拡散部１０１ｃの比率を調整することで、青色光ＢＬを緑色波長帯域側に寄せる。
【００４０】
なお、励起光の明るさ及び波長については、それらを検出するセンサを励起光の光路上に設け、そのセンサの検出結果が制御部４１に出力されるようにすることが好ましい。また、励起光の明るさ及び波長を製品出荷前に作業者が測定し、その測定値を正常化する前記比率を予め制御部４１に記憶させておくことも可能である。
【００４１】
その後、回転板１０１を通過した青色光ＢＬは、第一反射ミラー１４３で反射されてから、集光レンズ１１５を通過し、さらに第二反射ミラー１４５で反射される。さらに、第二反射ミラー１４５を反射した青色光ＢＬは、第二ダイクロイックミラー１４８で反射されて、後段の光学系を通過して表示素子５１に到達する。
【００４２】
以上のように、本実施形態によれば、励起光源７１から出射された励起光を拡散する拡散板として、第一拡散部１０１ｂと、一部の領域に励起光を蛍光光に変換する蛍光体層１０１ｄが配置された第二拡散部１０１ｃと、が周方向に並設された回転制御可能な回転板１０１を備えている。よって、マトリクス状の蛍光体層１０１ｄの合計の面積及び／又は個数を調整することで、励起光源７１から照射された光の色味を適正なものに調整することができる。
また、第一拡散部１０１ｂと第二拡散部１０１ｃとが周方向に並列された回転板１０１が回転制御可能であるので、励起光が照射される第一拡散部１０１ｂ及び第二拡散部１０１ｃの比率を調整することができる。したがって、励起光源７１から照射された光の色味を適正なものに調整することができ、色再現性を向上させることが可能となる。
【００４３】
また、回転板１０１が、励起光源７１からの励起光の光路上に、蛍光体部１０１ａ、第一拡散部１０１ｂ及び第二拡散部１０１ｃの少なくとも何れかが位置するように配置されているので、回転板１０１が回転することにより、蛍光体部１０１ａ、第一拡散部１０１ｂ及び第二拡散部１０１ｃが順次励起光の光路上に配置されることになる。
【００４４】
励起光の色味に問題がない場合には第二拡散部１０１ｃの領域を赤色光源１２１の赤色点灯期間とすることができる。また、励起光の色味を調整する場合は、第一拡散部１０１ｂの領域を赤色光源１２１の赤色点灯期間とすることができる。
【００４５】
なお、本発明を適用可能な実施形態は、上述した実施形態に限定されることなく、本発明の趣旨を逸脱しない範囲で適宜変更可能である。
例えば、上記実施形態では、回転板１０１の第二拡散部１０１ｃにマトリクス状に均等に分散された蛍光体層１０１ｄが設けられた構成を例示して説明したがこの構成に限らない。例えば、図４に示すような構成でもよい。図３と同様に回転板１０１は蛍光体部１０１ａ、第一拡散部１０１ｂ及び第二拡散部１０１ｃを備え、これらが周方向に並列されている。しかし、この回転板１０１は、第二拡散部１０１ｃの径方向の略中央に、周方向に沿うライン状の蛍光体層１０１ｄが設けられた構成である。
この場合も、蛍光体層１０１ｄは、回転板１０１を平面視して第二拡散部１０１ｃの一方の面側にライン状に積層されていても良いし、回転板１０１を平面視して第二拡散部１０１ｃが設けられていないライン状の領域のみに形成されていてもよい。なお、ラインは１本ではなく複数本設けられていても良い。
マトリクス状、ライン状のいずれであっても、簡単な構成で第二拡散部１０１ｃと蛍光体層１０１ｄとを混成させることができる。
さらに、本実施形態では、回転板１０１の蛍光体部１０１ａで変換された蛍光光は回転板１０１の反射層で反射される構成としたが、これに限らず、回転板１０１に反射層を設けず、透光性基材を、蛍光体部１０１ａで変換された蛍光光が透過するようにしてもよい。この場合、励起光の入射側に、青色光透過及び緑色光反射のダイクロイック層を設ければ、より励起光の変換効率を向上させることができる。
【００４６】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４７】
〔付記〕
＜請求項１＞
励起光を出射する励起光源と、
前記励起光源から出射された前記励起光を蛍光光に変換する蛍光体部と、前記励起光を拡散する第一拡散部と、一部の領域に前記励起光を蛍光光に変換する蛍光体層が配置され、他の領域では前記励起光を拡散する第二拡散部と、が周方向に並設された回転制御可能な回転板と、
を備えることを特徴とする光源装置。
＜請求項２＞
請求項１記載の光源装置において、
前記励起光源は、前記励起光として青色波長帯域光を出射し、
前記蛍光体部及び前記蛍光体層は、前記励起光源から出射された前記励起光を当該励起光よりも長波長帯域の蛍光光に変換し、
前記第一拡散部及び前記第二拡散部は、前記励起光を拡散しながら透過し、
前記回転板は、前記励起光源からの前記励起光の光路上に、前記蛍光体部、前記第一拡散部及び前記第二拡散部の少なくとも何れかが位置するように配置されていることを特徴とする光源装置。
＜請求項３＞
請求項１又は２記載の光源装置において、
前記励起光が前記回転板を透過する際、前記励起光が照射される前記第一拡散部と前記第二拡散部との比率を前記励起光の波長に応じて制御する制御部を更に備えることを特徴とする光源装置。
＜請求項４＞
請求項１〜３のいずれか一項に記載の光源装置において、
前記第一拡散部と前記第二拡散部との拡散角度は略同一であることを特徴とする光源装置。
＜請求項５＞
請求項１〜４のいずれか一項に記載の光源装置において、
前記蛍光体層は、前記第二拡散部の領域内でライン状又はマトリクス状に配置されていることを特徴とする光源装置。
＜請求項６＞
請求項１〜５のいずれか一項に記載の光源装置と、
表示素子と、
前記光源装置を透過した光を前記表示素子に導光する光源側光学系と、
前記表示素子から出射された画像をスクリーンに投影する投影側光学系と、
を備えることを特徴とする投影装置。
【符号の説明】
【００４８】
１０      投影装置
４１      制御部
５１      表示素子
６０      光源装置
７１      励起光源
１００      蛍光発光装置
１０１      回転板
１０１ａ    蛍光体部
１０１ｂ    第一拡散部
１０１ｃ    第二拡散部
１０１ｄ    蛍光体層
１１０      ホイールモータ
１１０Ａ    モータドライバ
１２０      赤色光源装置
１２１      赤色光源
１４０      光源側光学系
１６０      光学系ユニット
２２０      投影側光学系
【図１】
2016062045.tif 000003
【図２】
2016062045.tif 000004
【図３】
2016062045.tif 000005
【図４】
2016062045.tif 000006